(57)【要約】【課題】会計カウンターやその近傍に配置された包装台、テーブル等を利用して、商品収納袋を吊り下げ状に配置することができ、会計カウンター部分に新たなスペースの確保を必要とすることなく、会計のオペレータだけで商品を入れた収納袋を購入者に手渡す収納方式を実現することができる商品収納袋の吊り下げ具を提供する。【解決手段】商品収納袋内に商品を投入することができるようにする吊り下げ具であり、この吊り下げ具２１が、被取付け物への固定状態で垂下する前板３７に、商品収納袋の舌片に設けた吊り下げ用の孔を係止する上部掛け吊り軸３８と、この上部掛け吊り軸３８の下部で両側に位置し、商品収納袋の上部両側に設けた吊り下げ用の孔を係止する一対の下部掛け吊り軸４０、４０と、両側下部掛け吊り軸４０、４０の間に位置して前方へ突出し、上部掛け吊り軸３８と両側下部掛け吊り軸４０、４０を用いて吊り下げた商品収納袋の引き用つまみ片を前方に向けて引き起こすつまみ片押し出し板４１を設けて形成されている。【選択図】図１
2006264693.tif 000002
【特許請求の範囲】
【請求項１】
上部両側に提げ手と上部中央に舌片を有し、この舌片に吊り下げ用の孔と、前記舌片の下方の位置にＵ字状の切れ目で囲んだ引き用つまみ片を設けた商品収納袋を、前記吊り下げ用の孔を利用して吊り下げ状に保持し、吊り下げた商品収納袋の上端口部を開口させた状態でこの商品収納袋内に商品を投入することができるようにする吊り下げ具であり、
前記吊り下げ具が、被取付け物へ固定する前板の前面に、商品収納袋の舌片に設けた吊り下げ用の孔を係止する掛け吊り軸と、この掛け吊り軸の下部に位置して前方へ突出し、掛け吊り軸を用いて吊り下げた商品収納袋の引き用つまみ片を前方に向けて引き起こすつまみ片押し出し板を設けて形成されている商品収納袋の吊り下げ具。
【請求項２】
上部両側に提げ手と上部中央に舌片を有し、この舌片に吊り下げ用の孔と、前記舌片の下方の位置にＵ字状の切れ目で囲んだ引き用つまみ片を設けた商品収納袋を、前記吊り下げ用の孔を利用して吊り下げ状に保持し、吊り下げた商品収納袋の上端口部を開口させた状態でこの商品収納袋内に商品を投入することができるようにする吊り下げ具であり、
前記吊り下げ具が、被取付け物へ固定する前板の前面に、商品収納袋の舌片に設けた吊り下げ用の孔を係止する掛け吊り軸と、この掛け吊り軸の下部に位置して前方へ突出し、掛け吊り軸を用いて吊り下げた商品収納袋の引き用つまみ片を前方に向けて引き起こすつまみ片押し出し板と、前記つまみ片押し出し板の直上位置に、商品収納袋の掛け吊り軸に吊り下げた部分の下部位置を前方に押し出すための張り出し板を設けて形成されている商品収納袋の吊り下げ具。
【請求項３】
上部両側に提げ手と上部中央に舌片を有し、上部両側と舌片とにそれぞれ吊り下げ用の孔と、前記舌片の直下で両側の吊り下げ用の孔を結ぶ線よりも少し下方の位置にＵ字状の切れ目で囲んだ引き用つまみ片を設けた商品収納袋を、前記各吊り下げ用の孔を利用して吊り下げ状に保持し、吊り下げた商品収納袋の上端口部を開口させた状態でこの商品収納袋内に商品を投入することができるようにする吊り下げ具であり、
前記吊り下げ具が、被取付け物へ固定する前板の前面に、商品収納袋の舌片に設けた吊り下げ用の孔を係止する上部掛け吊り軸と、この上部掛け吊り軸の下部で両側に位置し、商品収納袋の上部両側に設けた吊り下げ用の孔を係止する一対の下部掛け吊り軸と、両側下部掛け吊り軸の間に位置して前方へ突出し、上部掛け吊り軸と両側下部掛け吊り軸を用いて吊り下げた商品収納袋の引き用つまみ片を前方に向けて引き起こすつまみ片押し出し板を設けて形成されている商品収納袋の吊り下げ具。
【請求項４】
上部両側に提げ手と上部中央に舌片を有し、上部両側と舌片とにそれぞれ吊り下げ用の孔と、前記舌片の直下で両側の吊り下げ用の孔を結ぶ線よりも少し下方の位置にＵ字状の切れ目で囲んだ引き用つまみ片を設けた商品収納袋を、前記各吊り下げ用の孔を利用して吊り下げ状に保持し、吊り下げた商品収納袋の上端口部を開口させた状態でこの商品収納袋内に商品を投入することができるようにする吊り下げ具であり、
前記吊り下げ具が、被取付け物へ固定する前板の前面に、商品収納袋の舌片に設けた吊り下げ用の孔を係止する上部掛け吊り軸と、この上部掛け吊り軸の下部で両側に位置し、商品収納袋の上部両側に設けた吊り下げ用の孔を係止する一対の下部掛け吊り軸と、両側下部掛け吊り軸の間に位置して前方へ突出し、上部掛け吊り軸と両側下部掛け吊り軸を用いて吊り下げた商品収納袋の引き用つまみ片を前方に向けて引き起こすつまみ片押し出し板と、前記つまみ片押し出し板の上部位置に、商品収納袋の掛け吊り軸に吊り下げた部分の下部位置を前方に押し出すための張り出し板を設けて形成されている商品収納袋の吊り下げ具。
【請求項５】
上記前板の前面で上部掛け吊り軸より下方の位置に、両側及び前方に突出する水平の張り出し枠を設け、この張り出し枠の前面両端部に下部掛け吊り軸を突設し、前記張り出し枠の中央位置につまみ片押し出し板を前方に突出するように設けた請求項３又は４に記載の商品収納袋の吊り下げ具。
【請求項６】
上記吊り下げ具に設けたつまみ片押し出し板が、商品収納袋の引き用つまみ片が押し出されることによって形成される開口の部分で商品収納袋を吊り下げ支持するようになっている請求項１乃至５の何れかに記載の商品収納袋の吊り下げ具。
【請求項７】
上記吊り下げ具が、その前板を垂下板に固定することによって吊り下げ具を被取付け物へ固定するための取付け部材を備え、この取付け部材が垂下板とその上端に設けた固定部からなり、この固定部が、垂下板の上端から後方に突出する鉤型屈曲部と、この鉤型屈曲部の先端に位置する下向き屈曲片に螺装した締め付けボルトで形成されている請求項１乃至6の何れかに記載の商品収納袋の吊り下げ具。
【請求項８】
上記吊り下げ具が、その前板を垂下板に固定することによって吊り下げ具を被取付け物へ固定するための取付け部材を備え、この取付け部材が垂下板とその上端に設けた固定部からなり、この固定部が、垂下板の上端から後方に突出する上部水平板と、この上部水平板の下部に間隔を設けた位置から後方に突出する下部水平部材と、下部水平部材に螺装した締め付けボルトで形成されている請求項１乃至６の何れかに記載の商品収納袋の吊り下げ具。
【発明の詳細な説明】
【技術分野】
【０００１】
この発明は、スーパマーケットやドラッグストアー等における小売店において、会計カウンターやその近傍に配置された包装台、テーブル等に取付けて、合成樹脂製の商品収納袋を吊り下げ状に配置することにより、会計のオペレータが計算後の商品を商品収納袋に直接投入して購入者に手渡すことができるようにする商品収納袋の吊り下げ具に関する。
【背景技術】
【０００２】
従来、スーパマーケットやドラッグストアー、量販店等での、商品の購入後における商品収納袋への収納方式は、一般的に、購入者が商品を店内備付けの籠に入れて会計カウンターに持ち込み、会計のオペレータは計算後の商品を別の籠に入れていき、最終的にこの籠に、購入した商品の量に見合う大きさ及び数の合成樹脂製商品収納袋を入れて購入者にわたし、購入者は別の位置にある包装用の台に籠を持って移動し、商品収納袋に購入した商品を自分で入れて持ち帰るようなシステムになっている。
【０００３】
このとき、商品収納袋の上端の口部を粘着テープで閉じるか否かは、商品購入者に任されている。
【０００４】
ところで、近年、上記のような収納方式に代わり、会計のオペレータが計算後の商品を別の収納係の者に渡し、この収納係が商品を商品収納袋に直接収納する作業を行い、商品の入った商品収納袋を購入者に手渡す方式が顧客サービスとして行われている。
【０００５】
このような商品の入った商品収納袋を購入者に手渡す方式は、設備費の軽減と店内スペースの有効利用が図れると共に、商品収納袋に商品を入れた後、商品収納袋の上部開口を粘着テープで封をして渡すことができ、このように、上部開口を封止すると、購入者が会計での支払いを済ませたあと、再び売り場に戻って新たな商品を商品収納袋に投入し、その商品の料金を支払わずに持ちかえる万引きを防ぐ効果があり、従来から手をやいていた万引きの防止を露骨に示すことなく実現できる。
【０００６】
しかしながら、商品の入った商品収納袋を購入者に手渡す方式を実施するために専門の収納係を確保することは、新たな人件費がかかることになるので、会計のオペレータがこれを兼任できるようにするのが経済的に好ましい。
【０００７】
上記のように、会計のオペレータが収納係を兼任するには、オペレータが計算後の商品を商品収納袋に素早く直接投入することができるように、両手を使っても元来開けにくかった袋の口部を片手で簡単に開けられるだけでなく、開口状態を維持し、片手で商品投入ができる新たな商品収納袋の開発と、この商品収納袋に計算後の商品を直接投入することができるようにするための取り出し装置が必要になる。
【０００８】
そこで本発明者は、会計オペレータが収納係の兼任を実現することができる、新たな商品収納袋とその取り出し装置を既に提案した。
【０００９】
上記商品収納袋は、上部両側に提げ手と上部中央に舌片を有し、上部両側と舌片とに夫々吊り下げ用の孔と、前記舌片の直下で両側の吊り下げ用の孔を結ぶ線よりも少し下方の位置にＵ字状の切れ目で囲んだ引き用つまみ片を設けた構造になっている（特願２００４−６７５８７号）。
【００１０】
また、上記の既に提案された商品収納袋の取り出し装置は、ベース上に回転可能となるよう立設した支柱と、上記支柱に装着した複数の袋取り付け機構との組み合わせからなり、この袋取り付け機構は、上記商品収納袋を吊り下げ状に保持できるよう、舌片に設けた吊り下げ用の孔を係止する掛け吊り軸と、その下部両側の位置に設けた吊り下げ用の孔を係止する掛け吊り軸を備え、下部に商品収納袋の底部支持板を設けて形成されている（例えば、特許文献１参照）。
【００１１】
この商品収納袋の取り出し装置は、スーパマーケットやドラッグストアー等での、商品の会計カウンター部分でオペレータの作業範囲の近傍に位置するよう床面に設置して使用する。
【００１２】
この取り出し装置は、ベース上に起立する支柱の周囲に複数の袋取り付け機構を設け、各袋取り付け機構には、該当するサイズの商品収納袋を多数枚の重なり状態で吊り下げ状に取り付ける。
【００１３】
上記袋取り付け機構に対して商品収納袋は、舌片に設けた孔を中央上部の掛け吊り軸に係止し、両側の掛け吊り軸に下部両側の孔を係止することにより吊り下げ状に取り付け、商品収納袋の下端は支持板により支持する。
【００１４】
このような状態で、購入したい商品を籠に入れて会計カウンターに持ち込むと、オペレータは袋取り付け機構の上部を手で押すことにより回転させ、商品の量に応じた大きさの商品収納袋を手前の位置に臨ませ、一番手前に位置するこの商品収納袋の外面に位置する一枚の引き用つまみ片を手前に引いて舌片を切れ目の部分から切断すると共に、この引き用つまみ片で商品収納袋の上端を手前に引くようにする。
【００１５】
これによって、商品収納袋の口部が開くことになり、会計のオペレータは籠から取り出した商品の値段を計算したのち、この商品を商品収納袋内に投入し、このようにして商品の値段を計算した商品を順次商品収納袋内に入れ、全商品の投入が終わって会計が済むと、オペレータは両側の提げ手を持って袋を持ち上げながら手前に引いて、上部両側の掛け吊り軸から孔を抜き取るか裂くるようにし、この持ち上げで舌片に設けた孔も中央の掛け吊り軸から離れるので、商品収納袋の口部を粘着テープで封止した状態で、商品の入った商品収納袋を購入者に手渡せばよい。
【特許文献１】特開２００１−３１５７２６号公報
【発明の開示】
【発明が解決しようとする課題】
【００１６】
ところで、上記したような商品収納袋の取り出し装置は、ベース上に起立する支柱の周囲に複数の袋取り付け機構を設け、床面に設置して使用する構造になっているので、比較的嵩高いものとなり、このため、会計カウンター部分でオペレータの作業範囲の近傍に取り出し装置を設置するためのスペースを確保しなければならない。
【００１７】
しかしながら、スーパマーケットやドラッグストアー等での商品の会計カウンター部分のスペースは、売り場の有効スペースを広く確保する観点から比較的狭く設定するのが一般的であり、このため、上記したような商品収納袋の取り出し装置を設置するための新たなスペースを実際の売り場で確保するのは、困難な状況にあるのが現状であり、上記した取り出し装置はスペース的な問題で採用しにくいという点で改善の余地がみられた。
【００１８】
そこで、この発明は、会計カウンターやその近傍にすでに配置された包装台、テーブル等を利用して、商品収納袋を吊り下げ状に配置することができるようにし、会計カウンター部分に新たなスペースの確保や改装を必要とすることなく、会計のオペレータだけで商品の入った商品収納袋を購入者に手渡す収納方式を実現することができる商品収納袋の吊り下げ具を提供することにある。
【課題を解決するための手段】
【００１９】
上記のような課題を解決するため、第１の発明は、上部両側に提げ手と上部中央に舌片を有し、この舌片に吊り下げ用の孔と、前記舌片の下方の位置にＵ字状の切れ目で囲んだ引き用つまみ片を設けた商品収納袋を、前記吊り下げ用の孔を利用して吊り下げ状に保持し、吊り下げた商品収納袋の上端口部を開口させた状態でこの商品収納袋内に商品を投入することができるようにする吊り下げ具であり、前記吊り下げ具が、被取付け物へ固定する前板の前面に、商品収納袋の舌片に設けた吊り下げ用の孔を係止する掛け吊り軸と、この掛け吊り軸の下部に位置して前方へ突出し、掛け吊り軸を用いて吊り下げた商品収納袋の引き用つまみ片を前方に向けて引き起こすつまみ片押し出し板を設けて形成されている構成を採用したものである。
【００２０】
第２の発明は、上部両側に提げ手と上部中央に舌片を有し、この舌片に吊り下げ用の孔と、前記舌片の下方の位置にＵ字状の切れ目で囲んだ引き用つまみ片を設けた商品収納袋を、前記吊り下げ用の孔を利用して吊り下げ状に保持し、吊り下げた商品収納袋の上端口部を開口させた状態でこの商品収納袋内に商品を投入することができるようにする吊り下げ具であり、前記吊り下げ具が、被取付け物へ固定する前板の前面に、商品収納袋の舌片に設けた吊り下げ用の孔を係止する掛け吊り軸と、この掛け吊り軸の下部に位置して前方へ突出し、掛け吊り軸を用いて吊り下げた商品収納袋の引き用つまみ片を前方に向けて引き起こすつまみ片押し出し板と、前記つまみ片押し出し板の直上位置に、商品収納袋の掛け吊り軸に吊り下げた部分の下部位置を前方に押し出すための張り出し板を設けて形成されている構成を採用したものである。
【００２１】
第３の発明は、上部両側に提げ手と上部中央に舌片を有し、上部両側と舌片とにそれぞれ吊り下げ用の孔と、前記舌片の直下で両側の吊り下げ用の孔を結ぶ線よりも少し下方の位置にＵ字状の切れ目で囲んだ引き用つまみ片を設けた商品収納袋を、前記各吊り下げ用の孔を利用して吊り下げ状に保持し、吊り下げた商品収納袋の上端口部を開口させた状態でこの商品収納袋内に商品を投入することができるようにする吊り下げ具であり、前記吊り下げ具が、被取付け物へ固定する前板の前面に、商品収納袋の舌片に設けた吊り下げ用の孔を係止する上部掛け吊り軸と、この上部掛け吊り軸の下部で両側に位置し、商品収納袋の上部両側に設けた吊り下げ用の孔を係止する一対の下部掛け吊り軸と、両側下部掛け吊り軸の間に位置して前方へ突出し、上部掛け吊り軸と両側下部掛け吊り軸を用いて吊り下げた商品収納袋の引き用つまみ片を前方に向けて引き起こすつまみ片押し出し板を設けて形成されている構成を採用したものである。
【００２２】
第４の発明は、上部両側に提げ手と上部中央に舌片を有し、上部両側と舌片とにそれぞれ吊り下げ用の孔と、前記舌片の直下で両側の吊り下げ用の孔を結ぶ線よりも少し下方の位置にＵ字状の切れ目で囲んだ引き用つまみ片を設けた商品収納袋を、前記各吊り下げ用の孔を利用して吊り下げ状に保持し、吊り下げた商品収納袋の上端口部を開口させた状態でこの商品収納袋内に商品を投入することができるようにする吊り下げ具であり、前記吊り下げ具が、被取付け物へ固定する前板の前面に、商品収納袋の舌片に設けた吊り下げ用の孔を係止する上部掛け吊り軸と、この上部掛け吊り軸の下部で両側に位置し、商品収納袋の上部両側に設けた吊り下げ用の孔を係止する一対の下部掛け吊り軸と、両側下部掛け吊り軸の間に位置して前方へ突出し、上部掛け吊り軸と両側下部掛け吊り軸を用いて吊り下げた商品収納袋の引き用つまみ片を前方に向けて引き起こすつまみ片押し出し板と、前記つまみ片押し出し板の上部位置に、商品収納袋の掛け吊り軸に吊り下げた部分の下部位置を前方に押し出すための張り出し板を設けて形成されている構成を採用したものである。
上記前板の前面で上部掛け吊り軸より下方の位置に、両側及び前方に突出する水平の張り出し枠を設け、この張り出し枠の前面両端部に下部掛け吊り軸を突設し、前記張り出し枠の中央位置につまみ片押し出し板を前方に突出するように設けたり、上記吊り下げ具に設けたつまみ片押し出し板が、商品収納袋の引き用つまみ片が押し出されることによって形成される開口の部分で商品収納袋を吊り下げ支持するようになっているようにすることができる。
【００２３】
また、上記吊り下げ具が、その前板を垂下板に固定することによって吊り下げ具を被取付け物へ固定するための取付け部材を備え、この取付け部材が垂下板とその上端に設けた固定部からなり、この固定部が、垂下板の上端から後方に突出する鉤型屈曲部と、この鉤型屈曲部の先端に位置する下向き屈曲片に螺装した締め付けボルトで形成されているようにすることができる。
【００２４】
更に、上記吊り下げ具が、その前板を垂下板に固定することによって吊り下げ具を被取付け物へ固定するための取付け部材を備え、この取付け部材が垂下板とその上端に設けた固定部からなり、この固定部が、垂下板の上端から後方に突出する上部水平板と、この上部水平板の下部に間隔を設けた位置から後方に突出する下部水平部材と、下部水平部材に螺装した締め付けボルトで形成されている構造とすることができる。
【００２５】
ここで、吊り下げる商品収納袋は、上部両側に提げ手と上部中央に舌片を有し、この舌片に吊り下げ用の孔と、前記舌片の直下の位置にＵ字状の切れ目で囲んだ引き用つまみ片を設けたものと、上部両側に提げ手と上部中央に舌片を有し、上部両側と舌片とに合計三個の吊り下げ用の孔と、前記舌片の直下で両側の吊り下げ用の孔を結ぶ線よりも少し下方の位置にＵ字状の切れ目で囲んだ引き用つまみ片を設けた構造の何れかを選択して使用すればよく、
商品収納袋の引き用つまみ片が押し出されることによって形成される抜き孔が商品収納袋を吊り下げ支持するために用いられる。
【００２６】
上記吊り下げ具の取付け部材への固定は、フックによる吊り下げと両面粘着テープの併用、鋲によるカシメ固定、ビスによる締結等の手段を採用し、また、取付け部材をカウンターやテーブル、作業台等の被取付け物に固定する場合、被取付け物の構造に対応して両面粘着テープを使用することができる。
【００２７】
また、商品収納袋は大小複数のサイズが用意され、特に上部両側に吊り下げ用の孔を設けた構造の商品収納袋の場合は、各サイズごとに吊り下げ用の孔の配置間隔の条件が異なるので、吊り下げ具は、各サイズの商品収納袋に対応したものを用意し、適合するものを選択して使用することになる。
【発明の効果】
【００２８】
この発明の吊り下げ具は、小型で嵩張らず、スーパマーケットやドラッグストアー等において、会計カウンターやその近傍にすでに配置された包装台、テーブル等に取付けて、商品収納袋を吊り下げ状に配置することができ、会計カウンター部分に新たなスペースの確保や改装を必要とすることなく、既存のスペースのままで、商品収納袋の吊り下げ状配置が可能になり、会計のオペレータだけで計算後の商品を直接商品収納袋に投入し、商品の入った収納袋を購入者に手渡す収納方式を既存の売り場に簡単に導入することができる。
【００２９】
また、前板の前面に、掛け吊り軸を用いて吊り下げた商品収納袋の引き用つまみ片を前方に向けて引き起こすつまみ片押し出し板を設けたので、掛け吊り軸に吊り下げた商品収納袋の引き用つまみ片が袋の前方に突出し、指先で最前部袋の引き用つまみ片の摘み作業が行いやすくなり、片手で口部を開口させて商品を商品収納袋へ投入する作業が円滑に行えることになる。
【００３０】
また、つまみ片押し出し板には、商品が投入されて重量の加わった商品収納袋を吊り下げ状態で保持する役割を果たすことができる。
【発明を実施するための最良の形態】
【００３１】
以下、この発明の実施の形態を図示例と共に説明する。
【００３２】
先ず、この発明の吊り下げ具に取り付けて使用する第１の商品収納袋Ａは、図７に示すように、ポリエチレン等の薄い合成樹脂のチューブを素材に用い、所定の長さに切断したチューブを両側に内方へのプリーツ状折り込み部１、１を設けた状態で偏平に畳み、表シート２と裏シート３の下端側を溶着して閉鎖された底部４とし、この表シート２と裏シート３の上端側に両側の折り込み部１、１の一部を残して略逆Ｍ字状の如き切り欠き５を設け、切り欠き５の底縁における表裏シート間を口部６とし、両側に突出状となるよう残した折り込み部１、１が上端部を溶着することによって提げ手部７、７になっている。
【００３３】
上記のような第１の商品収納袋Ａは、表シート２と裏シート３の切り欠き５の底縁における中央が上方に突出する舌片８となり、この舌片８の上端部と表裏シート２、３の上部両側で折り込み部１、１の内縁よりも少し内側の位置に、それぞれ吊り下げ用の孔９と１０、１０が三角形の配置で設けられ、表裏シート２、３には、両側吊り下げ用の孔１０、１０と切り欠き５の底縁の間に切れ目線１１が施され、更に、舌片８の吊り下げ用の孔９よりも下方の位置にこの舌片８の先端側を容易に除去できるようにするための切れ目線１２が横方向の全長にわたって設けてある。
【００３４】
また、提げ手部７、７は、上記折り込み部１、１の一部を含むように切り欠き５を施すことにより、折り込み部１、１の内側折り返し部分が切り取られ、広げることによって内側が握り孔１３になっている。
【００３５】
この第１の商品収納袋Ａは、収納容量の異なる大きさのもの、具体的には幅と上下長さの異なるものが複数種類用意され、従って、サイズの異なる第１の商品収納袋Ａは、舌片８の吊り下げ用の孔９と両側に設けた吊り下げ用の孔１０、１０の上下間隔及び、両側吊り下げ用の孔１０、１０の間隔が異なることになる。
【００３６】
上記第１の商品収納袋Ａの表シート２と裏シート３には、舌片８の直下で、両側の吊り下げ用の孔１０、１０を結ぶ線よりも少し下方の位置に、両端に丸い裂け止め１４ａを施したＵ字状の切れ目１４で囲んだ引き用つまみ片１５を設け、表シート２における引き用つまみ片１５を指先で摘んで手前に引くことで、舌片８を切れ目１２から先端側の切断除去が簡単に行え、商品収納袋Ａの口部６を開口させることができるようになっている。
【００３７】
また、引き用つまみ片１５には、指先での挟持による単シート確認部１６が設けられている。この単シート確認部１６は、裂開を避けるため、丸孔や角のない孔、各種図柄等の抜き孔によって形成され、表シート２の引き用つまみ片１５だけを確実に摘んで手前側に引くことができるようにしている。
【００３８】
上記単シート確認部１６は、引き用つまみ片１５を指先で挟持したときに、引き用つまみ片１５を挟んだ指先が密着接触している感触の場合は、一枚の引き用つまみ片１５を挟んでいることが確認でき、指先の密着接触する感触が得られない場合は、二枚又はそれ以上の引き用つまみ片１５を挟んでいることが確認でき、二枚又はそれ以上の引き用つまみ片１５を同時に引っ張ることがないようにするためのものである。
【００３９】
図１０は、この発明の吊り下げ具に取り付けて使用する第２の商品収納袋Ａ１を示している。なお、図７に示した第１の商品収納袋Ａと同一部分には同一符号を付して説明に代える。
【００４０】
この第２の商品収納袋Ａ１は、構造的に図７に示した第１の商品収納袋Ａと基本的に同一であるが、第１の商品収納袋Ａの上部両側の吊り下げ用の孔１０、１０を省き、舌片８にだけ吊り下げ用の孔９を設けたものである。
【００４１】
このような第２の商品収納袋Ａ１は、収納せんとする商品が小さく少量であり、必ずしも口部６の全開を必要としない場合に用いるのに適している。
【００４２】
次に、図１乃至図６に示す商品収納袋の吊り下げ具２１は、第１の商品収納袋Ａを吊り下げるために用いるためのものであり、取付け部材２２を用いて被取付け物へ固定する例を示している。
【００４３】
上記取付け部材２２は、ステンレス等の金属板を用いた帯状となる垂下板２３の上端に被取付け物Ｂへの固定部２５を設けて形成され、被取付け物Ｂの異なった構造に対応することができるよう、幾つかの種類が用意されている。
【００４４】
図１乃至図４に示す第１の実施の形態の取付け部材２２は、被取付け物Ｂが引き出しＣを備えたカウンターや包装台、テーブル等の場合に、引き出しＣの開閉に支障がないよう引き出しＣに直接取り付けることができるようにしたタイプであり、上下に長い帯板状となる垂下板２３の上端に固定部２５となる水平板２６を後方へ突出するよう略直角に折り曲げた伏倒Ｌ字形に形成され、図３のように、引き出しＣの前面板Ｃ１上に水平板２６を載置し、垂下板２３の裏面を両面粘着テープ２７で前面板Ｃ１に貼り付ければ、引き出しＣに対する取付け部材２２の固定が行え、前面板Ｃ１上に載る水平板２６で荷重を支持することができ、水平板２６は引き出しＣの閉鎖時に天板Ｂ１と前面板Ｃ１の隙間から天板Ｂ１の下面側に収まることになる。
【００４５】
図５（ａ）と（ｂ）に示す第２の実施の形態の取付け部材２２は、被取付け物Ｂが引き出しＣを備えたカウンターや包装台、テーブル等の場合に、引き出しＣの開閉に支障がないよう引き出しＣに直接取り付けることができるようにしたタイプであり、垂下板２３の上端に設けた固定部２５が、垂下板２３の上端から後方に突出する鉤型屈曲部２８と、この鉤型屈曲部２８の先端に位置する下向き屈曲片２９の固定ナット３０に螺装した締め付けボルト３１で形成され、図５（ｂ）のように、引き出しＣの前面板Ｃ１上に鉤型屈曲部２８を引っかけて吊り下げ、屈曲片２９に螺装した締め付けボルト３１を前面板Ｃ１の裏面に対して締め付ければ、垂下板２３が前面板Ｃ１に密着して引き出しＣに対する取付け部材２２の固定が行え、前面板Ｃ１上に載る鉤型屈曲部２８で荷重を支持することができる。
【００４６】
なお、取付け部材２２の横移動発生を防ぐため、垂下板２３の裏面を両面粘着テープで前面板Ｃ１に貼り付けるようにしてもよい。
【００４７】
図６（ａ）乃至（ｃ）に示す第３の実施の形態の取付け部材２２は、被取付け物Ｂが引き出しのない天板Ｂ１だけのカウンターや包装台、テーブル等の場合に用いるタイプであり、垂下板２３の上端から後方に突出する上部水平板３２と、この上部水平板３２の下部に所定の間隔を設けた位置から後方に突出する下部水平部材３３と、下部水平部材３３で保持したナット３４に螺装した締め付けボルト３５で形成されている。
【００４８】
上記垂下板２３と上部水平板３２の折り曲げ部分には、折り曲げ部分の強度を高めるリブ３２ａを加工すると共に、上部水平板３２には、上面側に膨出する補強用の曲げ加工を長さ方向に沿って施し、上部水平板３２の撓み発生を防止するようにしている。
【００４９】
また、下部水平部材３３は、図６（ｃ）のように、底板３３ａの上部両側がコ字形の溝３３ｂ、３３ｂとなる袋形の断面形状を有し、底板３３ａに長孔３３ｃが長さ方向に沿って設けられ、底板３３ａ上に両側の溝３３ｂ、３３ｂで長さ方向の移動が可能で回転不能にナット３４を保持し、長孔３３ｃからナット３４に締め付けボルト３５を螺合した構造になっている。
【００５０】
この取付け部材２２は、図６（ｂ）のように、上部水平板３２と下部水平部材３３の間を天板Ｂ１に対してこれを挟むように差し込み、下部水平部材３３のナット３４に螺装した締め付けボルト３５を天板Ｂ１の下面に対して締め付ければ、天板Ｂ１に対する固定が行え、天板Ｂ１上に載る上部水平板３２で荷重を支持することができ、ナット３４に螺装した締め付けボルト３５は、長孔３３ｃの範囲で好みの位置に調整可能となるので、天板Ｂ１の下面が凹凸になっている場合でも対応することができる。
【００５１】
なお、天板Ｂ１上に載る上部水平板３２は、両面粘着テープ３２ｂで天板Ｂ１に接着固定したり、ビス孔３６を利用して天板Ｂ１にビスで固定することができる。
【００５２】
また、上述した第１の実施の形態の取付け部材２２においても、水平板２６を天板Ｂ１上に固定することによって引き出しのない天板Ｂ１だけのカウンターや包装台、テーブル等に使用することができ、天板Ｂ１への固定は、この場合も、両面粘着テープを用いたり、水平板２６に設けたビス孔３６を利用して天板Ｂ１にビスで固定することができる。
【００５３】
図１乃至図６は、上記のような各実施の形態で示した取付け部材２２を用い、被取付け物へ固定する吊り下げ具２１の構造を示している。
【００５４】
この吊り下げ具２１は、垂下板２３の前面に固定する前板３７の前面上部に上部掛け吊り軸３８を突設し、前板３７の前面下部に両側横方向に長く少し前方に突出する水平の張り出し枠３９を設け、この張り出し枠３９の前面で両端部の位置に一対の下部掛け吊り軸４０、４０を突設し、前記張り出し枠３９の中央位置につまみ片押し出し板４１を前方に突出するよう固定し、前板３７の前面で上部掛け吊り軸３８の下方位置と張り出し枠３９の前面の間に、商品収納袋Ａの上部掛け吊り軸３８に吊り下げた部分の下部位置を前方に押し出すため、円弧状に膨出する張り出し板４２を設けて形成されている。
【００５５】
上記上部掛け吊り軸３８と下部掛け吊り軸４０、４０は、先端が上向きに屈曲するフック形に形成され、吊り下げんとする第１の商品収納袋Ａの吊り下げ用の孔９と両側に設けた吊り下げ用の孔１０、１０の配置に一致する三角形の配置となり、上部掛け吊り軸３８に対して下部掛け吊り軸４０、４０は、平面的に張り出し枠３９の突出分だけ少し前方に位置している。
【００５６】
上記つまみ片押し出し板４１は、上部掛け吊り軸３８と下部掛け吊り軸４０、４０に吊り下げた商品収納袋ＡのＵ字状の切れ目１４で囲まれた部分を貫通することができるような幅で、途中から先端が少し上向きに角度を持って傾斜し、先端側に指先を沿わせるための切り欠き４３を設けて形成され、Ｕ字状の切れ目１４で囲まれた部分を貫通することで、第１の商品収納袋Ａの引き用つまみ片１５を第１の商品収納袋Ａの前方に突出するよう押し出すことになる。
【００５７】
このような吊り下げ具２１を取付け部材２２に固定する方法は、図１乃至図４の場合、垂下板２３の前面上部にフック４４を突設し、前板３７の上部に設けた孔４５をフック４４に係止し、垂下板２３と前板３７の重なり面を両面粘着テープ４６で貼り付けることにより固定しているが、フック４４に代えてビスで固定するようにしてもよい。
【００５８】
なお、図示の場合、吊り下げ具２１は、張り出し枠３９の背面を前面板Ｃ１に対して両面粘着テープ４７で貼り付け固定するようにしている。
【００５９】
このような固定方法は、吊り下げ具２１側の重量をフック４４で支持できると共に、取付け部材２２に対してサイズの異なる吊り下げ具２１を選択して取付けることができる。
【００６０】
図５と図６に示す固定方法は、垂下板２３と前板３７を重ねて上下の位置をビス４８で着脱可能に固定するようにし、吊り下げ具２１に互換性を持たせるようにしたものであるが、これとは別に、ビス４８を省いて溶接による固定を採用してもよく、また、取付け部材２２の垂下板２３と吊り下げ具２１の前板３７を共通の板とすることにより、取付け部材２２と吊り下げ具２１を一体化した構造とすることができる。
【００６１】
第１の商品収納袋Ａを吊り下げる吊り下げ具２１は、上記のような構成であり、スーパマーケットやドラッグストアー等での、商品の会計スペースにおけるカウンターや包装台、テーブル、その引き出し等の被取付け物Ｂに取付け部材２２を固定し、この取付け部材２２の垂下板２３に吊り下げ具２１を取付け、吊り下げ具２１に該当する大きさの第１の商品収納袋Ａを多数枚重ねた状態で吊り下げ状に取り付ける。
【００６２】
上記吊り下げ具２１に対して第１の商品収納袋Ａは、舌片８に設けた吊り下げ用の孔９を中央の上部掛け吊り軸３８に嵌挿し、両側の吊り下げ用の孔１０、１０を下部掛け吊り軸４０、４０に嵌挿することにより吊り下げ状に取り付ける。
【００６３】
上記吊り下げ用の孔９と１０、１０で各掛け吊り軸３８と４０、４０に吊り下げた第１の商品収納袋Ａは、図２と図３に示すように、口部６から下の部分が張り出し枠３９の前面から自重で垂下し、引き用つまみ片１５の残留部分が、引き出される最先端の引き用つまみ片１５に連れてつまみ片押し出し板４１から前に引き出されて外れてしまうことなく、その最奥部に安定した状態で留まり、つまみ片押し出し板４１が第１の商品収納袋ＡのＵ字状の切れ目１４で囲まれた部分を貫通することで、引き用つまみ片１５が第１の商品収納袋Ａの前方に突出するよう押し出され、両側の提げ手部７、７は前側に垂れ下がっている。
【００６４】
上記引き用つまみ片１５は、図３のように、つまみ片押し出し板４１がＵ字状の切れ目１４を貫通することによる押し出しによって、積層状態で湾曲しながら前方に突出し、これによって引き用つまみ片１５の先端縁は上部のものほど前方に位置する傾斜配置となり、最上部に位置する引き用つまみ片１５を一枚だけめくり上げて指先で挟持する作業が簡単に行えることになる。
【００６５】
上記つまみ片押し出し板４１がＵ字状の切れ目１４を貫通して引き用つまみ片１５を積層状態で前方に突出させると、図２に示すように、Ｕ字状の切れ目１４が抜き孔１４ｂとなり、つまみ片押し出し板４１は、その上面に引き用つまみ片１５が載ることによって抜き孔１４ｂを貫通する部分で、第１の商品収納袋Ａに加わる荷重を支持することができることになる。
【００６６】
この状態で、会計のオペレータは、最前部に位置する第１の商品収納袋Ａの引き用つまみ片１５を指先で摘んで擦るようにすることで、重なり合っている表シート２と裏シート３の二枚の引き用つまみ片１５を剥離させ、この後、図４のように、表シート２の引き用つまみ片１５だけを指先で摘んで手前側に引くと、この引っ張り力で表シート２の舌片８の途中に設けた切れ目線１２が破断し、吊り下げ用の孔９を設けた部分が上部掛け吊り軸３８に残った状態となり、これによって、表シート２は上部掛け吊り軸３８から遊離して手前側に移動する。
【００６７】
このとき、上記第１の商品収納袋Ａの裏シート３には手前側への引っ張り力が加わらないので、この裏シート３に設けた舌片８の吊り下げ用の孔９は、上部掛け吊り軸３８に嵌挿した状態のまま残り、従って、裏シート３に対して表シート２の上部は手前側に大きく引き出される。
【００６８】
この表シート２の手前側への引き出し時に、表シート２の両側に設けた吊り下げ用の孔１０、１０は手前側に引かれ、下部掛け吊り軸４０、４０の先端立ち上がり部分で抵抗を受けるが、かまわず更に手前側へ引っ張る力を加えれば、この引っ張り力で切れ目線１１、１１が破断し、吊り下げ用の孔１０、１０が下部掛け吊り軸４０、４０から離脱することで、表シート２の上部は下部掛け吊り軸４０、４０からも遊離し、これによって、表シート２の上部は手前側に大きく移動し、第１の商品収納袋Ａの口部６は大きく開口することになる。
【００６９】
この時、表シート２の手前側への引き出しにより、両側の提げ手部７、７は手前側に広げられることになって握り孔１３が広がり、第１の商品収納袋Ａを取り外す場合の、横方向からこの握り孔１３への指先の挿入が簡単に行えることになる。
【００７０】
このように、表シート２の引き用つまみ片１５を指先で摘んで手前に引くだけで、第１の商品収納袋Ａは口部６が手前側に大きく開くことになり、口部６の開き作業が片手で行えることになる。
【００７１】
上記の引き用つまみ片１５を指先で摘む場合に、引き用つまみ片１５に、指先での挟持による単シート確認部１６を設けたので、引き用つまみ片１５を指先で引っ張る動作の時に、単シート確認部１６によって、引き用つまみ片１５を挟んだ指先が互いに密着接触するか否かの感触による確認が行え、指先がよく接触している感触の場合は引き用つまみ片１５の上側の一枚のみを挟んでいることが確認でき、また、指先の密着接触する感触が得られない場合は二枚又はそれ以上の引き用つまみ片１５を挟んでいることが確認できるので、二枚の引き用つまみ片１５を同時に引っ張るようなことがなくなり、引き用つまみ片１５の上側の一枚だけを引っ張ることができ、第１の商品収納袋Ａの口部６を片手で確実に手前へ開くことができる。
【００７２】
上記のように、第１の商品収納袋Ａの口部６が開くと、会計のオペレータは、購入者がレジカウンターに持ち込んだ商品を計算したものから順に、直接この第１の商品収納袋Ａ内に収納していけばよい。この時、第１の商品収納袋Ａに加わった商品の重量は、上部掛け吊り軸３８と下部掛け吊り軸４０、４０及び抜き孔１４ｂを貫通するつまみ片押し出し板４１によって支持され、商品を入れても第１の商品収納袋Ａの吊り下げ状態が保たれることになる。
【００７３】
購入者が購入した商品の全てを会計のオペレータが第１の商品収納袋Ａに収納して費用の清算が終了すると、両側提げ手部７、７の握り孔１３それぞれに手の指先を挿入して両側提げ手部７、７を握り、この両側提げ手部７、７を手前に引くようにすると、この引っ張り力で裏シート３の舌片８は上部掛け吊り軸３８に引っかかっているので切れ目線１２が破断し、これと同時に、裏シート３の上部両側に設けた吊り下げ用の孔１０、１０は、下部掛け吊り軸４０、４０の先端立ち上がり部分に引っ掛かって停止し、下部掛け吊り軸４０、４０に対して手前側に引かれることになり、この引っ張り力で切れ目線１１、１１が破断し、吊り下げ用の孔１０、１０が下部掛け吊り軸４０、４０から離脱することで、裏シート３は下部掛け吊り軸４０、４０からも遊離し、第１の商品収納袋Ａを各掛け吊り軸３８と４０、４０から完全に取り外すことができることになる。
【００７４】
このようにして、各掛け吊り軸３８と４０、４０から取り外した第１の商品収納袋Ａは、上端の口部６を閉じて粘着テープ等で封をし、この第１の商品収納袋Ａに入った商品を購入者に手渡すようにする。
【００７５】
図８と図９に示す商品収納袋の吊り下げ具２１ａと２１ｂは、図１０示した第２の商品収納袋Ａ１を吊り下げるために用いるためのものであり、上述した第１の商品収納袋Ａを吊り下げる吊り下げ具２１と同一部分には同一符号を付して説明に代える。
【００７６】
図８に示す例の吊り下げ具２１ａは、第１の商品収納袋Ａを吊り下げる吊り下げ具２１の下部掛け吊り軸４０、４０を省き、上部掛け吊り軸３８に該当する掛け吊り軸３８ａに舌片８の吊り下げ用の孔９を吊り掛け、つまみ片押し出し板４１が第２の商品収納袋Ａ１のＵ字状の切れ目１４で囲まれた抜き孔１４ｂを貫通することで、引き用つまみ片１５を第２の商品収納袋Ａ１の前方に突出するように押し出すようにするものであり、掛け吊り軸３８ａとつまみ片押し出し板４１で第２の商品収納袋Ａ１を吊り下げ保持すると共に、張り出し板４２の作用で二枚目以降の引き用つまみ片１５を、つまみ片押し出し板４１上の奥に留まらせ、これによって、第２の商品収納袋Ａ１の口部６を確実に開けられる。
【００７７】
図９に示す他の例の吊り下げ具２１ｂは、第１の商品収納袋Ａを吊り下げる吊り下げ具２１の張り出し枠３９と張り出し板４２を省き、前板３７につまみ片押し出し板４１を突設し、上部掛け吊り軸３８に該当する掛け吊り軸３８ａに舌片８の吊り下げ用の孔９を吊り掛け、つまみ片押し出し板４１が第２の商品収納袋Ａ１のＵ字状の切れ目１４で囲まれた抜き孔１４ｂを貫通することで、引き用つまみ片１５を第２の商品収納袋Ａ１の前方に突出するように押し出すようにするものであり、掛け吊り軸３８ａとつまみ片押し出し板４１で第２の商品収納袋Ａ１を吊り下げ保持することになる。
【００７８】
上記商品収納袋の吊り下げ具２１ａ又は２１ｂを用いた第２の商品収納袋Ａ１の吊り下げ状態は、両側の提げ手部７、７が前側に垂れ下がることになるが、引き用つまみ片１５の前面は開放されることになるので、第１の商品収納袋Ａの吊り下げの場合と同様、つまみ片押し出し板４１で押し出された最上部の引き用つまみ片１５を手前側に引っぱる動作が支障なく行え、従って、第２の商品収納袋Ａ１の口部６を片手で確実に手前へ開くことができ、第１の商品収納袋Ａの場合と同様、会計のオペレータは、第２の商品収納袋Ａ１の口部６を開いて購入者がレジカウンターに持ち込んだ商品を計算したものから順に、直接この商品収納袋Ａ１内に収納することができる。
【００７９】
なお、第２の商品収納袋Ａ１の吊り下げ具２１ａ又は２１ｂは、舌片８の吊り下げ用の孔９で第２の商品収納袋Ａ１を吊り下げるので、第２の商品収納袋Ａ１の大小の変化に対して単一のもので対応することができるという利点があり、この吊り下げ具２１ａ又は２１ｂに第１の商品収納袋Ａを吊り下げ使用することは当然可能であると共に、更に、吊り下げ具２１ａ又は２１ｂの基本構造は上記のような各実施の形態で示した取付け部材２２に共用できるものであるから、取り付けには各実施の形態の何れでも採用できる。
【００８０】
また、上記した各商品収納袋の吊り下げ具２１、２１ａ、２１ｂは、取付け部材２２の使用を省き、前板３７を被取付け物へ直接固定して商品収納袋Ａ又はＡ１を吊り下げるようにしてもよく、被取付け物への前板３７の固定は、ビス止めや両面粘着テープの単用もしくは併用によって行えばよい。
【００８１】
上記のように、吊り下げ具２１の各掛け吊り軸３８と４０、４０に第１の商品収納袋Ａを吊り掛けるか、第２の商品収納袋Ａ１を吊り下げ具２１ａ又は２１ｂの掛け吊り軸３８ａに吊り掛け、抜き孔１４ｂにつまみ片押し出し板４１を貫通させれば、つまみ片押し出し板４１で押し出された最上部の引き用つまみ片１５を手前側に引くだけで、第１の商品収納袋Ａ又は第２の商品収納袋Ａ１の口部６を開口させることができ、しかも、片手操作で素早く確実に開口させることができるので、片手で計算をしながらもう片方の手で商品収納袋Ａ又はＡ１へ商品を投入することができ、これにより、会計のオペレータだけで顧客の買い上げた商品を直接商品収納袋Ａ又はＡ１に入れる方式を実行することができ、また、分断された舌片８は上部掛け吊り軸３８又は掛け吊り軸３８ａに残ったままになるので、舌片８が散乱するようなことがなく、掃除の手間が省ける。
【００８２】
また、商品を移し替える別のカゴや顧客用包装台及び、この包装台上にセットする粘着テープ、指の先を湿らせるための汚れやすい濡れナプキン等の小物も不要となる。
【００８３】
また、会計スペースにおけるカウンターや包装台、テーブル、その引き出し等の被取付け物Ｂに吊り下げ具２１を取付けて商品収納袋Ａ又はＡ１を掛け吊状に配置することにより、既存の会計スペースのままで、カウンターや包装台、テーブル等での作業に全く支障を与えることなく商品収納袋Ａ又はＡ１の配置が可能となり、しかも、多数枚の商品収納袋Ａ又はＡ１を各掛け吊り軸３８と４０、４０又は掛け吊り軸３８ａに吊り掛けた状態で配置することができるので、商品収納袋Ａ又はＡ１を平面的に配置した場合に比べて省スペース化と不良袋の発生を防ぐことができると共に、商品収納袋Ａ又はＡ１を手前のものから一枚ずつ取り出せるので、残余の商品収納袋Ａ又はＡ１が散乱して皺になったり汚れたりして、使用に耐えられなくなる無駄を省き、また、つい顧客に念のため余分な袋を手渡す無駄をも省け、商品収納袋Ａ又はＡ１の管理と節約が容易となる。
【００８４】
更に、商品収納袋Ａ又はＡ１の口部をテープで閉めてから顧客に手渡すので、万引きの防止にもつながるものである。
【図面の簡単な説明】
【００８５】
【図１】（ａ）は第１の商品収納袋を吊り下げる吊り下げ具と第１の実施の形態の取付け部材を示す分解斜視図、（ｂ）は同組み立て状態を示す斜視図
【図２】図１の吊り下げ具を用いてテーブルの引き出しに第１の商品収納袋を吊り下げた状態を示す正面図
【図３】図２の矢印ａ−ａに沿う拡大縦断面図
【図４】吊り下げ具を用いてテーブルの引き出しに吊り下げた第１の商品収納袋の口部を開いた状態を示す要部切り欠き側面図
【図５】（ａ）は吊り下げ具と第２の実施の形態の取付け部材を示す斜視図、（ｂ）は（ａ）の吊り下げ具を用いてテーブルの引き出しに第１の商品収納袋を吊り下げた状態を示す縦断側面図
【図６】（ａ）は吊り下げ具と第３の実施の形態の取付け部材を示す斜視図、（ｂ）はテーブルの天板に（ａ）の吊り下げ具を取付けた状態を示す縦断側面図、（ｃ）は（ａ）、（ｂ）の吊り下げ具の下部水平部材の縦断面図
【図７】（ａ）は第１の商品収納袋の正面図、（ｂ）は（ａ）の矢印ｂ−ｂに沿う拡大した横断面図
【図８】第２の商品収納袋を吊り下げるために用いる吊り下げ具の斜視図
【図９】第２の商品収納袋を吊り下げるために用いる吊り下げ具の他の例を示す斜視図
【図１０】第２の商品収納袋の正面図
【符号の説明】
【００８６】
Ａ        第１の商品収納袋
Ａ１      第２の商品収納袋
Ｂ        被取付け物
Ｃ        引き出し
１        折り込み部
２        表シート
３        裏シート
４        底部
５        切り欠き
６        口部
７        提げ手部
８        舌片
９        吊り下げ用の孔
１０      吊り下げ用の孔  
１１      切れ目線
１２      切れ目線
１３      握り孔
１４      切れ目
１４ａ    裂け止め
１４ｂ    抜き孔
１５      引き用つまみ片
１６      単シート確認部
２１      吊り下げ具
２２      取付け部材
２３      垂下板
２５      固定部
２６      水平板
２７      両面粘着テープ
２８      鉤型屈曲部
２９      下向き屈曲片
３０      固定ナット
３１      締め付けボルト
３２      上部水平板
３３      下部水平部材
３４      固定ナット
３５      締め付けボルト
３６      ビス孔
３７      前板
３８      上部掛け吊り軸
３８ａ    掛け吊り軸
３９      張り出し枠
４０      下部掛け吊り軸
４１      つまみ片押し出し板
４２      張り出し板
４３      切り欠き
４４      フック
４５      孔
４６      両面粘着テープ
４７      両面粘着テープ
４８      ビス
【図１】
2006264693.tif 000003
【図２】
2006264693.tif 000004
【図３】
2006264693.tif 000005
【図４】
2006264693.tif 000006
【図５】
2006264693.tif 000007
【図６】
2006264693.tif 000008
【図７】
2006264693.tif 000009
【図８】
2006264693.tif 000010
【図９】
2006264693.tif 000011
【図１０】
2006264693.tif 000012